(57)【特許請求の範囲】
【請求項１】
利用者に入力画面を提示して利用者に取引に係る情報を入力させる取引システムにおいて、
上記入力画面の一部における文字列表記を、第１の文字又は第２の文字へ変換する利用者からの指示を取り込む変換指示取込手段と、
第２の文字を、第１の文字に変換又は第１の文字を第２の文字に変換する文字変換手段と、
上記変換指示取込手段が利用者からの指示を取り込んだときに、上記文字変換手段による第２の文字から第１の文字への変換を実行させ、上記入力画面を、第１の文字の文字列を含むものに構成し直す又は上記文字変換手段による第１の文字から第２の文字への変換を実行させ、上記入力画面を、第２の文字の文字列を含むものに構成し直す入力画面変換手段とを有し、
上記入力画面は第１の表示領域と第２の表示領域に分かれており、
上記第１の表示領域には上記変換指示取込手段が表示され、
上記入力画面変換手段は上記第２の表示領域に表示された文字列のみを第１の文字又は第２の文字に変換する
ことを特徴とする取引システム。
【請求項２】
上記入力画面が振込取引における振込先に係る金融機関情報を入力させるものであり、上記入力画面変換手段は、上記第２の表示領域における複数の選択肢の文字列を、第１の文字で表記させることを特徴とする請求項１に記載の取引システム。
【請求項３】
上記第２の表示領域には金融機関の種類、金融機関名及び金融機関の本支店が表示されることを特徴とする請求項１又は２に記載の取引システム。
【請求項４】
上記入力画面変換手段は、上記第２の表示領域に表示された金融機関の種類、金融機関名及び金融機関の本支店名のみを第１の文字又は第２の文字に変換することを特徴とする請求項３に記載の取引システム。
【請求項５】
上記変換指示取込手段が利用者からの指示を取り込んでも、上記第１の表示領域に表示された文字列は文字変換されないことを特徴とする請求項１〜４のいずれかに記載の取引システム。
【請求項６】
上記文字列表記がカナ漢字混じりの文字列表記であって、第１の文字がローマ字であることを特徴とする請求項１〜５のいずれかに記載の取引システム。
【請求項７】
当該取引システムが自動取引装置であることを特徴とする請求項１〜６のいずれかに記載の取引システム。
【請求項８】
利用者に入力画面を提示して利用者に取引に係る情報を入力させる自動取引装置において、
上記入力画面の一部における文字列表記を、第１の文字又は第２の文字へ変換する利用者からの指示を取り込む変換指示取込手段と、
第２の文字を、第１の文字に変換又は第１の文字を第２の文字に変換する文字変換手段と、
上記変換指示取込手段が利用者からの指示を取り込んだときに、上記文字変換手段による第２の文字から第１の文字への変換を実行させ、上記入力画面を、第１の文字の文字列を含むものに構成し直す又は上記文字変換手段による第１の文字から第２の文字への変換を実行させ、上記入力画面を、第２の文字の文字列を含むものに構成し直す入力画面変換手段とを有し、
上記入力画面は第１の表示領域と第２の表示領域に分かれており、
上記第１の表示領域には上記変換指示取込手段が表示され、
上記入力画面変換手段は上記第２の表示領域に表示された文字列のみを第１の文字又は第２の文字に変換する
ことを特徴とする自動取引装置。
【発明の詳細な説明】
【技術分野】
【０００１】
本発明は、取引システム及び自動取引装置に関し、例えば、自動取引装置（ＡＴＭ；Ａｕｔｏｍａｔｉｃ  Ｔｅｌｌｅｒ  Ｍａｃｈｉｎｅ）による振込取引の振込先の入力方法に適用し得るものである。
【背景技術】
【０００２】
自動取引装置やインターネットバンキングやネット決済システム等の取引システムにおいては、金融機関名や本支店名を含めた口座情報を入力しなければならないことも多い。また、公共料金等の自動振替の契約を行う自動振替契約システムも、金融機関名や本支店名を含めた口座情報を入力しなければならないこともある。
【０００３】
例えば、自動取引装置における振込取引では、振込先の口座情報を入力しなければならない。この場合において、金融機関名や本支店名を文字入力させるのは、顧客の負担が大きく、また、１取引当たりに要する時間も長くなる。そのため、従来、金融機関名や本支店名を顧客に選択させるための振込先選択用ファイルデータを自動取引装置が保持し、処理段階に応じて、金融機関名の名称や本支店名の名称を選択候補として表示し、顧客に選択させることが行われている（特許文献１、特許文献２参照）。
【先行技術文献】
【特許文献】
【０００４】
【特許文献１】特開平５−３０７６６７号公報
【特許文献２】特開２００６−７９５１２号公報
【発明の概要】
【発明が解決しようとする課題】
【０００５】
従来の場合、金融機関名や本支店名の候補表示は、振込先入力用ファイルデータとして記憶されているものをそのまま表示するため、例えば、振込先入力用ファイルデータが日本語の漢字とカナで構成されている場合には、日本語で表示する。
【０００６】
しかしながら、日本語が不得意な顧客もおり、そのような顧客は、振込先を選択、入力できないか、過去に記載したメモ等を見て長時間をかけて選択、入力し、又は、ロビーアシスタントに補助してもらって振込先を入力していた。補助入力の場合、顧客は正しく入力されたか不安が付きまとう。日本語から英語等の他言語に切り替えてガイダンス表示などを行うことができる自動取引装置もある。しかし、このような自動取引装置は、振込取引については、他言語のガイダンス表示などの対象になっていなかったり、他言語のガイダンス表示などの対象になっていても金融機関名や本支店名の選択の候補表示は、振込先入力用ファイルデータの記述言語である日本語のままであったりする。
【０００７】
そのため、所定言語の文字で記述されたデータの内容を適宜表示して情報を入力させる取引を、上記所定言語が不得意な者であっても、単独で容易に実行することができる取引システム及び自動取引装置が望まれている。
【課題を解決するための手段】
【０００８】
第１の本発明は、利用者に入力画面を提示して利用者に取引に係る情報を入力させる取引システムにおいて、（１）上記入力画面の一部における文字列表記を、第１の文字又は第２の文字へ変換する利用者からの指示を取り込む変換指示取込手段と、（２）第２の文字を、第１の文字に変換又は第１の文字を第２の文字に変換する文字変換手段と、（３）上記変換指示取込手段が利用者からの指示を取り込んだときに、上記文字変換手段による第２の文字から第１の文字への変換を実行させ、上記入力画面を、第１の文字の文字列を含むものに構成し直す又は上記文字変換手段による第１の文字から第２の文字への変換を実行させ、上記入力画面を、第２の文字の文字列を含むものに構成し直す入力画面変換手段とを有し、（４）上記入力画面は第１の表示領域と第２の表示領域に分かれており、上記第１の表示領域には上記変換指示取込手段が表示され、（５）上記入力画面変換手段は上記第２の表示領域に表示された文字列のみを第１の文字又は第２の文字に変換することを特徴とする。
【０００９】
第２の本発明は、利用者に入力画面を提示して利用者に取引に係る情報を入力させる自動取引装置において、（１）上記入力画面の一部における文字列表記を、第１の文字又は第２の文字へ変換する利用者からの指示を取り込む変換指示取込手段と、（２）第２の文字を、第１の文字に変換又は第１の文字を第２の文字に変換する文字変換手段と、（３）上記変換指示取込手段が利用者からの指示を取り込んだときに、上記文字変換手段による第２の文字から第１の文字への変換を実行させ、上記入力画面を、第１の文字の文字列を含むものに構成し直す又は上記文字変換手段による第１の文字から第２の文字への変換を実行させ、上記入力画面を、第２の文字の文字列を含むものに構成し直す入力画面変換手段とを有し、（４）上記入力画面は第１の表示領域と第２の表示領域に分かれており、上記第１の表示領域には上記変換指示取込手段が表示され、（５）上記入力画面変換手段は上記第２の表示領域に表示された文字列のみを第１の文字又は第２の文字に変換することを特徴とする。
【発明の効果】
【００１１】
本発明によれば、所定言語の文字で記述されたデータの内容を適宜表示して情報を入力させる取引を、上記所定言語が不得意な者であっても、単独で容易に実行することができるようになる。
【図面の簡単な説明】
【００１２】
【図１】実施形態の自動取引装置の外観を示す斜視図である。
【図２】実施形態の自動取引装置における制御系の構成を示すブロック図である。
【図３】実施形態の自動取引装置における振込先入力用ファイルデータの一構成例を示す説明図（その１）である。
【図４】実施形態の自動取引装置における振込先入力用ファイルデータの一構成例を示す説明図（その２）である。
【図５】実施形態の自動取引装置における振込取引動作を示すフローチャートである。
【図６】実施形態の自動取引装置における金融機関種類の第１の選択画面を示す説明図である。
【図７】実施形態の自動取引装置における金融機関種類の第２の選択画面を示す説明図である。
【図８】実施形態の自動取引装置におけるカナ・ローマ字変換フラグが「ＯＮ」のときの金融機関名の選択画面の下半分の表示例を示す説明図である。
【図９】実施形態の自動取引装置におけるカナ・ローマ字変換フラグが「ＯＮ」のときの本支店名の第１音選択画面の下半分の表示例を示す説明図である。
【図１０】実施形態の自動取引装置におけるカナ・ローマ字変換フラグが「ＯＮ」のときの本支店名の選択画面の下半分の表示例を示す説明図である。
【発明を実施するための形態】
【００１３】
（Ａ）主たる実施形態
以下、本発明による取引システム及び自動取引装置を、自動取引装置（ＡＴＭ）に適用した一実施形態を、図面を参照しながら説明する。
【００１４】
（Ａ−１）実施形態の構成
図１は、この実施形態に係る自動取引装置１の外観を示す斜視図である。実施形態の自動取引装置１は、表示・入力部２、紙幣入出金口３、硬貨入出金口４、カード出入口５、通帳出入口６などを備えている。
【００１５】
表示・入力部２は、表示部と、その上面側に設けられているタッチパネル式の入力部とを備え、顧客の操作により各種の入力を行なうと共に、操作ガイダンス等が表示されるものである。
【００１６】
紙幣入出金口３は、紙幣が投入されると共に、紙幣が排出される開口部である。紙幣入出金口３にはシャッタが設けられ、シャッタが駆動されることにより紙幣入出金口３が開閉される。
【００１７】
硬貨入出金口４は、硬貨が投入されると共に、硬貨が排出される開口部である。硬貨入出金口４にもシャッタが設けられ、シャッタが駆動されることにより硬貨入出金口４が開閉される。
【００１８】
カード出入口５は、取引で使用されるカード（磁気カード、ＩＣカードなど記録方式は問われない；キャッシュカード、クレジットカードなど発行元は問われない）がここから挿入され、取引が終了するとカードが排出される出入り口である。なお、カード出入口５から、取引内容が記載された明細票が排出されることもあり得る。
【００１９】
通帳出入口６は、取引で使用される通帳がここから挿入され、取引が終了すると通帳が排出される出入り口である。
【００２０】
図２は、実施形態の自動取引装置１における制御系の構成を示すブロック図である。図２において、自動取引装置１は、各部の制御を司る主制御部２０と、上述した表示・入力部２、キャッシュカード等のカードに記録された情報のリードライトを行うカード処理部２１、操作ガイダンス等を音声出力する音声案内部２２、通帳の磁気ストライプのリードライトや通帳への印字制御を行う通帳処理部２３、取引明細を明細票に印字して排出する明細票処理部２４、紙幣の取込みや排出を行う紙幣処理部２５、硬貨の取込みや排出を制御する硬貨処理部２６を有する。また、自動取引装置１は、各部に電源を供給する電源部２７、主制御部２０の記憶部としてのメモリ部２８、図示しない当該金融機関のホストコンピュータとのインタフェースを制御するインタフェース部２９を有する。
【００２１】
主制御部２０は、例えば、主にマイクロコンピュータなどで構成されており、当該自動取引装置１の動作全体を制御するものである。メモリ部２８は、例えば、プログラムメモリやワーキングメモリや設定データメモリとして適用される。主制御部２０（マイクロコンピュータ）は、プログラムメモリに格納されているプログラムや設定データメモリに設定されているデータに従い、ワーキングメモリを、情報を一時的に記憶するメモリとして用いながら、各部を制御する。
【００２２】
メモリ部２８に記憶されているプログラムとしては、振込取引プログラム２８ａなどがある。振込取引プログラム２８ａを構成するサブルーチン（サブプログラム）の一つとして、カナ・ローマ字変換ルーチンがある。メモリ部２８に記憶されている設定データとしては振込先入力用ファイルデータ２８ｂやカナ・ローマ字変換用データ２８ｃやローマ字選択用配列データ２８ｄがある。メモリ部２８に適宜記憶される作業データ（ワーキングデータ）としては、金融機関名、本支店名、口座種類、口座番号、口座名義人などの振込先口座に係るデータ２８ｅや、カナ・ローマ字変換フラグ２８ｆがある。
【００２３】
図３及び図４はそれぞれ、振込先入力用ファイルデータ２８ｂの一構成例を示す説明図である。振込先入力用ファイルデータ２８ｂは、図３に示す当該自動取引装置１が所属する金融機関（以下、当該金融機関と呼ぶ）のデータ部２８ｂ１と、図４に示す他の金融機関のデータ部２８ｂ２とからなる。両データ２８ｂ１、２８ｂ２はそれぞれ、機能的には、階層構造のデータとなっている。金融機関名や本支店名などの名称データは、カナ（ここでは「ひらがな」とする）表記と漢字表記の併記データとなっている。図３は、当該金融機関名の漢字表記が「沖銀行」でカナ表記が「おきぎんこう」である場合を示している。
【００２４】
当該金融機関のデータ部２８ｂ１は、当該金融機関名をトップノードとし、その下位ノードとしてカナの５０音がそれぞれ設けられている（但し、その音をカナ表記の第１番目の音としている本支店がない場合、その音のノードは省略されている）。各音のノードには、その音をカナ表記の第１番目の音としている本支店の本支店名データのノードが接続されている（このような接続ノードが複数ある場合には、第２番目の音を５０音順に整理した順序にノードが整理されている）。
【００２５】
他の金融機関のデータ部２８ｂ２は、漢字表記が「他の金融機関」でカナ表記が「たのきんゆうきかん」をトップノードとし、その下位ノードには、金融機関を分類したグループ名のノードが設けられている。図４は、グループ名ノードが「銀行；ぎんこう」、「信託銀行；しんたくぎんこう」、…、「漁業協同組合；ぎょぎょうきょうどうくみあい」、「外国銀行；がいこくぎんこう」である場合を示している。グループ名ノードの下位ノートして、そのグループ名に属する金融機関名（カナ表記及び漢字表記で表閾されている）のそれぞれが、カナの５０音順に整列されて設けられている。各金融機関名のノードの下位側は、当該金融機関のデータ部２８ｂ１と同様な構造をしている。すなわち、各金融機関名のノードの下位ノードとしてカナの５０音がそれぞれ設けられており、各音のノードには、その音をカナ表記の第１番目の音としている本支店の本支店名データのノードが接続されている。
【００２６】
（Ａ−２）実施形態の動作
次に、実施形態に係る自動取引装置１の振込取引動作を説明する。ここで、図５は、自動取引装置１における振込取引の特徴動作（振込先入力動作）を示すフローチャートである。主制御部２０が、振込取引プログラム２８ａを実行することによって図５に示すような振込先入力動作を行う。なお、自動取引装置１は、振込取引については、日本語以外の他言語のガイダンス表示の対象になっていないものとする。
【００２７】
表示・入力部２に図示しない取引選択画面を表示させているときに、顧客によって、「振込取引」が選択されると、主制御部２０は、振込取引動作を実行する。振込取引動作は、振込金額を現金で賄うか口座の残高から賄うかを選択させる動作や、口座の残高から賄う場合に通帳やキャッシュカードから口座を特定させる動作や、振込先を入力させる動作や、振込金額を指定させる動作や、振込先へ振込金額を移動させるためホストコンピュータ側と通信する動作などを含む。
【００２８】
この実施形態の自動取引装置１は、振込先を入力させる動作に特徴を有する。顧客が振込先を入力する方法としては、予め登録している過去に振込を行った振込先候補から選択する方法と、金融機関名や本支店名や口座種類や口座番号など振込先口座の情報を入力していく方法とがある。
【００２９】
振込先の入力動作に入り、振込先口座情報を入力する方法が選択されたときに、主制御部２０は、図５に示す動作を開始する。そしてまず、主制御部２０は、カナ・ローマ字変換フラグ２８ｆを初期値のＯＦＦにセットした後（ステップＳ１００）、図６に示す金融機関種類の選択画面を表示・入力部２に表示させる（ステップＳ１０１）。
【００３０】
金融機関種類の選択画面は、選択肢を漢字やカナで表記している図６に示すような第１の選択画面と、選択肢をローマ字（アルファベット）で表記している図７に示すような第２の選択画面とがある。
【００３１】
金融機関種類の第１の選択画面は、図６に示すように、「お振込先の金融機関種類を押してください。」というガイダンスメッセージ、「沖銀行」、「銀行」、「信託銀行」、…、「漁業協同組合」、「外国銀行」などの金融機関の種類を選択させるためのキーアイコン、「Ｔｈｅ  Ｒｏｍａｎ  ａｌｐｈａｂｅｔ：ローマ字入力」という２段書きの表記切替キーアイコン３０、入力された金融機関名を表示するフィールド、入力された本支店名を表示するフィールドなどを含んでいる。金融機関の種類として、当該自動取引装置１が属する金融機関名「沖銀行」を表示して選択可能としたのは、同一の金融機関の口座を振込先として指定することが多いことに基づいている。表記切替キーアイコン３０は、漢字やカナで表記されている選択肢をローマ字（アルファベット）で表記することに切り替えることを指示するためのものである。「沖銀行」、「銀行」、「信託銀行」、…、「漁業協同組合」、「外国銀行」などの選択肢のキーアイコンに表記する文字列は、振込先入力用ファイルデータ２８ｂから取出したものである。
【００３２】
金融機関種類の第２の選択画面は、図７に示すように、「お振込先の金融機関種類を押してください。」というガイダンスメッセージ、「ＯＫＩＧＩＮＫＯＵ」、「ＧＩＮＫＯＵ」、「ＳＩＮＴＡＫＵＧＩＮＫＯＵ」、…、「ＧＹＯＧＹＯＵＫＹＯＵＤＯＵＫＵＭＩＡＩ」、「ＧＡＩＫＯＫＵＧＩＮＫＯＵ」などの金融機関の種類を選択させるためのキーアイコン、「漢字・カナ入力」と記載されている表記切替キーアイコン３１、入力された金融機関名を表示するフィールド、入力された本支店名を表示するフィールドなどを含んでいる。表記切替キーアイコン３１は、ローマ字（アルファベット）で表記されている選択肢を漢字やカナで表記することに切り替えることを指示するためのものである。「ＯＫＩＧＩＮＫＯＵ」、「ＧＩＮＫＯＵ」、「ＳＩＮＴＡＫＵＧＩＮＫＯＵ」、…、「ＧＹＯＧＹＯＵＫＹＯＵＤＯＵＫＵＭＩＡＩ」、「ＧＡＩＫＯＫＵＧＩＮＫＯＵ」などの選択肢のキーアイコンに表記する文字列は、振込先入力用ファイルデータ２８ｂから取出したカナを、カナ・ローマ字変換ルーチンを適用してローマ字に変換したものである。
【００３３】
図６又は図７に示す金融機関種類の選択画面を表示させている場合においては、主制御部２０は、いずれかのキーアイコンが操作されることを待ち受け、操作されると、どのキーアイコンが操作されたかを判別する（ステップＳ１０２）。
【００３４】
表記切替キーアイコン３０又は３１が操作された場合には、主制御部２０は、カナ・ローマ字変換フラグ２８ｆの値を反転し（ステップＳ１０３）、反転した後のカナ・ローマ字変換フラグ２８ｆの値に応じて定まる金融機関種類の第１又は第２の選択画面を表示させた後（ステップＳ１０４）、ステップＳ１０２の判別に戻る。ステップＳ１０４によって、第１の選択画面が新たな表示画面になる場合には、主制御部２０は、「沖銀行」、「銀行」、「信託銀行」、…、「漁業協同組合」、「外国銀行」などの選択肢の文字列を、振込先入力用ファイルデータ２８ｂから取出す。一方、ステップＳ１０４によって、第２の選択画面が新たな表示画面になる場合には、主制御部２０は、振込先入力用ファイルデータ２８ｂから選択肢に対応するカナを取り出し、カナ・ローマ字変換ルーチンを適用してローマ字に変換した、「ＯＫＩＧＩＮＫＯＵ」、「ＧＩＮＫＯＵ」、「ＳＩＮＴＡＫＵＧＩＮＫＯＵ」、…、「ＧＹＯＧＹＯＵＫＹＯＵＤＯＵＫＵＭＩＡＩ」、「ＧＡＩＫＯＫＵＧＩＮＫＯＵ」などの選択肢の文字列として表記させる。
【００３５】
金融機関種類の選択画面を表示させている場合において、いずれかの金融機関の種類を特定しているキーアイコンが選択された場合には、主制御部２０は、選択された金融機関の種類に属する金融機関名を選択させる選択画面を表示させる（ステップＳ１０５）。
【００３６】
金融機関名の選択画面の図示は省略するが、図６及び図７に示す金融機関種類の選択画面と同様な構成を有する。すなわち、金融機関名の選択画面は、上半分に、「お振込先の金融機関名を押してください。」というガイダンスメッセージ、「Ｔｈｅ  Ｒｏｍａｎ  ａｌｐｈａｂｅｔ：ローマ字入力」若しくは「漢字・カナ入力」と記載されている表記切替キーアイコン、入力された金融機関名を表示するフィールド、入力された本支店名を表示するフィールドなどを含み、下半分に、金融機関名を選択させるためのキーアイコン（選択肢アイコン）が配列されている。なお、選択された金融機関の種類に属する金融機関名が多い場合には、金融機関名の選択画面として複数画面構成とし、画面を前後に切り替えられるようにする。若しくは、金融機関名の選択肢部分をスクロールできるようにしても良い。
【００３７】
金融機関名の選択画面を表示させる際に、カナ・ローマ字変換フラグ２８ｆの値が「ＯＦＦ」であれば、主制御部２０は、表記切替キーアイコンとして「Ｔｈｅ  Ｒｏｍａｎ  ａｌｐｈａｂｅｔ：ローマ字入力」と記載されているものを表示すると共に、金融機関名の選択肢として漢字やカナで表記されたものを表示する。この選択肢に表示する漢字やカナは、振込先入力用ファイルデータ２８ｂから取出したものである。金融機関名の選択画面を表示させる際に、カナ・ローマ字変換フラグ２８ｆの値が「ＯＮ」であれば、主制御部２０は、表記切替キーアイコンとして「漢字・カナ入力」と記載されているものを表示すると共に、金融機関名の選択肢としてローマ字で表記されたものを表示する。この選択肢に表示するローマ字は、振込先入力用ファイルデータ２８ｂから取出された選択肢に対応するカナを、カナ・ローマ字変換ルーチンを適用してローマ字に変換したものである。図８は、カナ・ローマ字変換フラグ２８ｆの値が「ＯＮ」のときの金融機関名の選択画面における下半分の表示例を示す説明図である。図８における「ＭＩＺＵＨＯ」、「ＭＩＴＯ」、「ＭＩＮＡＴＯ」、…などは、振込先入力用ファイルデータ２８ｂから取出された「みずほ」、「みと」、「みなと」などが、カナ・ローマ字変換ルーチンによってローマ字に変換されたものである。
【００３８】
金融機関名の選択画面を表示させている場合においては、主制御部２０は、いずれかのキーアイコンが操作されることを待ち受け、操作されると、どのキーアイコンが操作されたかを判別する（ステップＳ１０６）。
【００３９】
金融機関名の選択画面における表記切替キーアイコン（図６、図７の符号３０、３１参照）が操作された場合には、主制御部２０は、カナ・ローマ字変換フラグ２８ｆの値を反転し（ステップＳ１０７）、反転した後のカナ・ローマ字変換フラグ２８ｆの値に応じて定まる金融機関名の選択画面を表示させた後（ステップＳ１０８）、ステップＳ１０６の判別に戻る。
【００４０】
金融機関名の選択画面を表示させている場合において、いずれかの金融機関名を特定しているキーアイコンが選択された場合には、主制御部２０は、選択された金融機関名を、金融機関名を表示するフィールドに書き入れた後（ステップＳ１０９）、その金融機関の本支店名の第１音を選択させる選択画面を表示させる（ステップＳ１１０）。
【００４１】
ここで、選択された金融機関名を、金融機関名を表示するフィールドに表示させる場合において、主制御部２０は、カナ・ローマ字変換フラグ２８ｆの値に拘わらず、常に、漢字、カナで記述された金融機関名を表示させるようにしても良い。また、選択された金融機関名を、金融機関名を表示するフィールドに表示させる場合において、主制御部２０は、カナ・ローマ字変換フラグ２８ｆがＯＦＦであれば漢字、カナで記述された金融機関名を表示させ、カナ・ローマ字変換フラグ２８ｆがＯＮであればローマ字で記述された金融機関名を表示させるようにしても良い。
【００４２】
金融機関の本支店名の第１音選択画面における上半分は、図６及び図７に示す金融機関種類の選択画面の上半分と同様な構成を有する。すなわち、金融機関の本支店名の第１音選択画面の上半分は、「本支店名の最初の１音を押してください。」というガイダンスメッセージ、「Ｔｈｅ  Ｒｏｍａｎ  ａｌｐｈａｂｅｔ：ローマ字入力」若しくは「漢字・カナ入力」と記載されている表記切替キーアイコン、入力された金融機関名を表示するフィールド（このフィールドには文字列が記述されている）、入力された本支店名を表示するフィールド（このフィールドは空のフィールドになっている）などを含む。金融機関の本支店名の第１音選択画面における下半分は、本支店名の最初の１音を選択させる選択肢が配列されている。
【００４３】
金融機関の本支店名の第１音選択画面を表示させる際に、カナ・ローマ字変換フラグ２８ｆの値が「ＯＦＦ」であれば、主制御部２０は、表記切替キーアイコンとして「Ｔｈｅ  Ｒｏｍａｎ  ａｌｐｈａｂｅｔ：ローマ字入力」と記載されているものを表示すると共に、金融機関の本支店名の第１音の選択肢としてカナで表記されたものを表示する。これに対して、金融機関の本支店名の第１音選択画面を表示させる際に、カナ・ローマ字変換フラグ２８ｆの値が「ＯＮ」であれば、主制御部２０は、表記切替キーアイコンとして「漢字・カナ入力」と記載されているものを表示すると共に、金融機関名の本支店名の第１音選択肢としてローマ字で表記されたものを表示する。図９は、金融機関の本支店名の第１音選択画面を表示させる際にカナ・ローマ字変換フラグ２８ｆの値が「ＯＮ」であった場合に、下半分に表示される第１音選択肢のローマ字配列の一例を示す説明図である。このようなローマ字配列データは、ローマ字選択用配列データ２８ｄとしてメモリ部２８に格納されている。ローマ字配列データとカナ配列データとは、ローマ字と対応するカナの選択肢位置が同じになっているものであっても良いが、例えば、カナ「フ」に対応するローマ字として「ＦＵ」や「ＨＵ」の両方を認めるように、ローマ字配列データとカナ配列データとは、ローマ字と対応するカナの選択肢位置が異なっているものであっても良い。
【００４４】
金融機関の本支店名の第１音選択画面を表示させている場合においては、主制御部２０は、いずれかのキーアイコンが操作されることを待ち受け、操作されると、どのキーアイコンが操作されたかを判別する（ステップＳ１１１）。
【００４５】
金融機関の本支店名の第１音選択画面における表記切替キーアイコン（図６、図７の符号３０、３１参照）が操作された場合には、主制御部２０は、カナ・ローマ字変換フラグ２８ｆの値を反転し（ステップＳ１１２）、反転した後のカナ・ローマ字変換フラグ２８ｆの値に応じて定まる第１音選択画面を表示させた後（ステップＳ１１３）、ステップＳ１１１の判別に戻る。
【００４６】
金融機関の本支店名の第１音選択画面を表示させている場合において、いずれかの音を特定しているキーアイコンが選択された場合には、主制御部２０は、選択された音を第１音としているいずれかの本支店名を選択させる選択画面を表示させる（ステップＳ１１４）。
【００４７】
金融機関の本支店名の選択画面における上半分は、図６及び図７に示す金融機関種類の選択画面の上半分と同様な構成を有する。すなわち、金融機関の本支店名の選択画面の上半分は、「本支店名を選択してください。」というガイダンスメッセージ、「Ｔｈｅ  Ｒｏｍａｎ  ａｌｐｈａｂｅｔ：ローマ字入力」若しくは「漢字・カナ入力」と記載されている表記切替キーアイコン、入力された金融機関名を表示するフィールド（このフィールドには文字列が記述されている）、入力された本支店名を表示するフィールド（このフィールドは空のフィールドになっている）などを含む。金融機関の本支店名の選択画面における下半分は、選択された音を最初の音としている本支店名を選択させる選択肢が配列されている。なお、選択された音を最初の音としている本支店名が多い場合には、本支店名の選択画面として複数画面構成とし、画面を前後に切り替えられるようにする。若しくは、本支店名の選択肢部分をスクロールできるようにしても良い。
【００４８】
本支店名の選択画面を表示させる際に、カナ・ローマ字変換フラグ２８ｆの値が「ＯＦＦ」であれば、主制御部２０は、表記切替キーアイコンとして「Ｔｈｅ  Ｒｏｍａｎ  ａｌｐｈａｂｅｔ：ローマ字入力」と記載されているものを表示すると共に、本支店名の選択肢として漢字やカナで表記されたものを表示する。この選択肢に表示する漢字やカナは、振込先入力用ファイルデータ２８ｂから取出したものである。本支店名の選択画面を表示させる際に、カナ・ローマ字変換フラグ２８ｆの値が「ＯＮ」であれば、主制御部２０は、表記切替キーアイコンとして「漢字・カナ入力」と記載されているものを表示すると共に、本支店名の選択肢としてローマ字で表記されたものを表示する。この選択肢に表示するローマ字は、振込先入力用ファイルデータ２８ｂから取出された選択肢に対応するカナを、カナ・ローマ字変換ルーチンを適用してローマ字に変換したものである。図１０は、カナ・ローマ字変換フラグ２８ｆの値が「ＯＮ」のときの本支店名の選択画面における下半分の表示例を示す説明図であり、本支店名の最初の音として「Ａ」が選択された場合の図面である。図１０における「ＡＯＹＡＭＡ」、「ＡＫＡＳＡＫＡ」、「ＡＫＩＨＡＢＡＲＡ」、…などは、振込先入力用ファイルデータ２８ｂから取出された「あおやま」、「あかさか」、「あきはばら」、…などが、カナ・ローマ字変換ルーチンによってローマ字に変換されたものである。
【００４９】
本支店名の選択画面を表示させている場合においては、主制御部２０は、いずれかのキーアイコンが操作されることを待ち受け、操作されると、どのキーアイコンが操作されたかを判別する（ステップＳ１１５）。
【００５０】
本支店名の選択画面における表記切替キーアイコン（図６、図７の符号３０、３１参照）が操作された場合には、主制御部２０は、カナ・ローマ字変換フラグ２８ｆの値を反転し（ステップＳ１１６）、反転した後のカナ・ローマ字変換フラグ２８ｆの値に応じて定まる本支店名の選択画面を表示させた後（ステップＳ１１７）、ステップＳ１１５の判別に戻る。
【００５１】
本支店名の選択画面を表示させている場合において、いずれかの本支店名を特定しているキーアイコンが選択された場合には、主制御部２０は、選択された本支店名を、本支店名を表示するフィールドに表示させた後（ステップＳ１１８）、振込先の口座種類（普通、当座など）を選択させる選択画面を表示させる（ステップＳ１１９）。
【００５２】
ここで、選択された本支店名を、本支店名を表示するフィールドに表示させる場合において、主制御部２０は、カナ・ローマ字変換フラグ２８ｆの値に拘わらず、常に、漢字、カナで記述された本支店名を表示させるようにしても良い。また、選択された本支店名を、本支店名を表示するフィールドに表示させる場合において、主制御部２０は、カナ・ローマ字変換フラグ２８ｆがＯＦＦであれば漢字、カナで記述された本支店名を表示させ、カナ・ローマ字変換フラグ２８ｆがＯＮであればローマ字で記述された本支店名を表示させるようにしても良い。
【００５３】
上述した図６又は図７に示す金融機関種類の選択画面を表示させている場合において、当該自動取引装置１が所属する金融機関（すなわち、沖銀行）を特定しているキーアイコンが選択された場合には、主制御部２０は、その金融機関名を、金融機関名を表示するフィールドに書き入れる上述したステップＳ１０９に移行する。
【００５４】
振込先の口座種類を選択させ、口座番号を入力させる処理や、振込先の口座名義人を入力させる処理（なお、振込先の金融機関側から口座種類や口座番号に基づいて取出す処理であっても良い）や、振込人を入力させる処理や、取引送信電文や取引履歴情報をホストコンピュータ側に送信したりする処理は、既存の自動取引装置の処理と同様であるので、その説明は省略する。
【００５５】
なお、カナ・ローマ字変換フラグ２８ｆがＯＮになっていて、振込先の金融機関名や本支店名をローマ字で表示する場合であっても、取引送信電文や取引履歴情報における金融機関名や本支店名の記述は、カナ・ローマ字変換元の振込先入力用ファイルデータ２８ｂにおけるカナ・漢字の表記（カナ・漢字データ）を適用する。ローマ字表記は、あくまでも顧客の便宜のためのものである。
【００５６】
振込取引における最後の方の処理として、主制御部２０は、振込取引の内容を印刷した明細票を発行する処理を実行する（ステップＳ１２０）。
【００５７】
ここで、振込先の金融機関名や本支店名を明細票に印刷させる際に、主制御部２０は、カナ・ローマ字変換フラグ２８ｆの値に拘わらず、常に、漢字、カナで記述された金融機関名や本支店名を印刷させるようにしても良い。また、振込先の金融機関名や本支店名を明細票に印刷させる際に、主制御部２０は、カナ・ローマ字変換フラグ２８ｆがＯＦＦであれば漢字、カナで記述された金融機関名や本支店名を明細票に印刷させ、カナ・ローマ字変換フラグ２８ｆがＯＮであればローマ字で記述された金融機関名や本支店名を明細票に印刷させるようにしても良い。
【００５８】
以上のように、顧客は、カナ・漢字若しくはローマ字のうちの所望する方で、振込先に係る金融機関の種類、金融機関名、本支店名の候補を表示させて、選択入力することができる。
【００５９】
（Ａ−３）実施形態の効果
上記実施形態によれば、金融機関名や本支店名などの発音（ローマ字）は知っているが、カナ・漢字を読むことができないようなカナ・漢字が不得意な顧客であっても、単独で容易に振込取引を実行することができる。
【００６０】
ここで、金融機関名のローマ字をファイルデータとして持たせておくと記憶すべきデータ量が多く、メモリとして大容量のものが必要となるが、上記実施形態によれば、カナを記憶しておき、それをローマ字に変換するようにしたので、ローマ字による入力方法を適用しても記憶容量をほとんど増大させることはない。
【００６１】
（Ｂ）他の実施形態
上記実施形態では、カナを変換するローマ字が１種類のものを示したが、ローマ字の複数の体系の中から、顧客が希望するローマ字の体系を選択できるようにしても良い。例えば、カナ「し」を、「ｓｉ」に変換するローマ字体系と、「ｓｈｉ」に変換するローマ字体系との中から、顧客がローマ字体系を選択できるようにしても良い。
【００６２】
カナを変換する表音文字は、ローマ字に限定されるものではなく、ハングル（朝鮮語）やピンイン（中国語）に変換し得るようにしても良い。さらに、変換元の表音文字もカナに限定されるものではない。例えば、ハングルを基本的な表記に用いる自動取引装置の場合、ハングルをローマ字に変換する機能を設けるようにしても良い。
【００６３】
上記実施形態では、ガイダンスメッセージは、カナ・ローマ字変換フラグ２８ｆの値に拘わらずカナ漢字混じり文で表示するものを示したが、カナ・ローマ字変換フラグ２８ｆがＯＮのときには、ガイダンスメッセージもローマ字で表示するようにしても良い。この場合も、ガイダンスメッセージのカナ文字列を記憶しておき、カナ・ローマ字変換を通じてローマ字列を得るようにしても良い。他の表示文字列についても、同様に、ローマ字で表示するようにしても良い。例えば、振込先や依頼人などを確認させる画面に表示するカナ文字列も、カナ・ローマ字変換フラグ２８ｆがＯＮのときには、ローマ字に変換して表示するようにしても良い。
【００６４】
上記実施形態では、振込取引は英語（若しくは他の外国語）の表示対象でないものを示したが、取引選択画面を英語表記に切り替えた後、振込取引が選択された場合には、カナ・ローマ字変換フラグ２８ｆの初期値をＯＮとするようにしても良い。
【００６５】
上記実施形態では、自動取引装置に本発明を適用したものを示したが、本発明の適用対象は自動取引装置に限定されるものではない。例えば、インターネットバンキングにおける振込取引で振込先を入力する場合に本発明を適用することができる。また例えば、ネット決済システムで決済口座を入力する際に本発明を適用することができる。さらに、例えば、公共料金等の自動振替の契約を行う自動振替契約システムで、振替元や振替先の口座情報を入力する際に本発明を適用することができる。
【符号の説明】
【００６６】
１…自動取引装置、２…表示・入力部、２０…主制御部、２８…メモリ部、２８ａ…振込取引プログラム、２８ｂ…振込先入力用ファイルデータ、２８ｃ…カナ・ローマ字変換用データ、２８ｄ…ローマ字選択用配列データ、２８ｆ…カナ・ローマ字変換フラグ。
【図１】
0005759814.tif 000002
【図２】
0005759814.tif 000003
【図３】
0005759814.tif 000004
【図４】
0005759814.tif 000005
【図５】
0005759814.tif 000006
【図６】
0005759814.tif 000007
【図７】
0005759814.tif 000008
【図８】
0005759814.tif 000009
【図９】
0005759814.tif 000010
【図１０】
0005759814.tif 000011